(57)【要約】【課題】製造コストを削減すること。【解決手段】光ビームの照射によってデータ記録可能な光ディスク１００であって、基板１１３と、基板１１３上に設けられデータを記録可能な記録層１１２と、制御用ディスク１２０を装着する取り付け部１０４と、記録装置に固定するクランプ部１０３と、を備えた記録用ディスク１１０と、記録用ディスク１１０と着脱可能で、記録層１１２に対するデータ記録時における制御情報の凹凸パターンを記録した基板１２１を備えた制御用ディスク１２０と、を備えた。【選択図】        図１
2007042149.tif 000002
【特許請求の範囲】
【請求項１】
光ビームの照射によってデータ記録可能な光記録媒体であって、
第１の基板と、前記第１の基板上に設けられ、データを記録可能な記録層とを備えた記録用記録媒体と、
前記記録用記録媒体と着脱可能で、前記記録層に対するデータ記録時における制御情報を記録した第２の基板を備えた制御用記録媒体と、
を備えたことを特徴とする光記録媒体。
【請求項２】
前記記録用記録媒体は、
前記制御用記録媒体を装着する第１の装着部と、前記記録用記録媒体に対して光ビームを照射してデータを記録する記録装置の駆動部に装着可能な第１の固定部と、をさらに備えたことを特徴とする請求項１に記載の光記録媒体。
【請求項３】
前記記録用記録媒体と着脱可能な第３の基板と、前記第３の基板上に設けられ、光ビームの照射を反射する反射層とを備えた再生用記録媒体
をさらに備えたことを特徴とする請求項１に記載の光記録媒体。
【請求項４】
前記再生用記録媒体は、
前記記録用記録媒体を装着する第２の装着部と、前記記録用記録媒体に対して光ビームを照射して前記記録層にデータを記録する記録装置の駆動部に装着可能な第２の固定部と、をさらに備えたことを特徴とする請求項３に記載の光記録媒体。
【請求項５】
前記制御用記録媒体は、
前記記録用記録媒体を装着する装着部と、前記記録用記録媒体に対して光ビームを照射して前記記録層に記録されたデータを再生する再生装置の駆動部に装着可能な固定部と、をさらに備えたことを特徴とする請求項３または４に記載の光記録媒体。
【請求項６】
前記記録用記録媒体は、前記記録層に記録するデータを暗号化する暗号鍵を記録する暗号鍵領域をさらに備え、
前記再生用記録媒体は、前記暗号鍵に対応して、前記記録層に暗号化して記録されたデータを復号化する復号鍵を記録する復号鍵領域をさらに備えたことを特徴とする請求項３〜５のいずれか一つに記載の光記録媒体。
【請求項７】
前記記録用記録媒体の前記記録層は、前記第１の基板の両面のそれぞれに設けられていることを特徴とする請求項１に記載の光記録媒体。
【請求項８】
前記制御用記録媒体は、
照射された光ビームを反射する反射層をさらに備え、
前記第２の基板は、前記制御情報がランド・グルーブ構造で記録されていることを特徴とする請求項１〜７のいずれか一つに記載の光記録媒体。
【請求項９】
前記第２の基板は、前記制御情報としてトラッキング情報、クロック生成情報、アドレス情報の少なくとも１つが記録されていることを特徴とする請求項１〜８のいずれか一つに記載の光記録媒体。
【発明の詳細な説明】
【技術分野】
【０００１】
本発明は、レーザ光などの光ビームを照射することによってデータを記録可能な光記録媒体に関する。
【背景技術】
【０００２】
データの追記や書き換えが可能な光ディスクは、光透過性基板の一方の面にランドやグルーブ構造の制御情報である凹凸パターンを設け、この凹凸パターン上に、有機色素材料や相変化材料からなる記録層を設け、この記録層の上に、反射層を設け、この反射層上に、保護層を設けた構造となっている。そして、基板側から光ビームを照射することによって、記録層にデータを記録するようになっている。基板に設けられた制御情報の凹凸パターンは、データ記録時のクロック信号生成、トラッキングサーボ制御、アドレッシング等のために用いられる。
【０００３】
この基板に設けられた制御情報の凹凸パターンは、射出成形機の金型に、凹凸のパターンが形成されたスタンパを設置し、このスタンパによってパターンを転写することによって成型される。
【０００４】
しかしながら、基板の凹凸パターンは、スタンパのパターンを転写して形成されるため、設計値通りに、グルーブの深さや幅を形成することが困難である。また、基板に凹凸パターンを形成するためのスタンパは、スタンピングが繰り替えされると、品質が劣化してしまい、これに伴い、基板に形成されるグルーブも所定の深さや幅に形成することができなくなってしまう。
【０００５】
このため、データ記録時のガイド用のパターンが印刷された記録補助シートを記録層の設けられた基板に接合することによって光ディスクを容易に製造することができる従来技術が知られている（例えば、特許文献１参照）。
【０００６】
【特許文献１】特開２００３−１３２５８６号公報
【発明の開示】
【発明が解決しようとする課題】
【０００７】
しかしながら、この従来技術においては、記録層が設けられた基板に、単にガイド用のパターンが印刷された記録補助シートを接合しているだけなので、基板ごと記録捕縄シートを生成する必要があり、その製造コストは増大するという問題がある。
【０００８】
本発明は、上記に鑑みてなされたものであって、製造コストを削減することができる光記録媒体を提供することを目的とする。
【課題を解決するための手段】
【０００９】
上述した課題を解決し、目的を達成するために、本発明は、光ビームの照射によってデータ記録可能な光記録媒体であって、第１の基板と、前記第１の基板上に設けられ、データを記録可能な記録層とを備えた記録用記録媒体と、前記記録用記録媒体と着脱可能で、前記記録層に対するデータ記録時における制御情報を記録した第２の基板を備えた制御用記録媒体と、を備えたことを特徴とする。
【発明の効果】
【００１０】
本発明によれば、製造が困難で製造コストが増大する制御情報のパターンが必要な制御用記録媒体と、記録層が設けられた記録用記録媒体とを分離することで、製造コストがかかる制御用記録媒体の製造を減らし、記録用記録媒体は制御情報のパターンのない平板で製造することができ、光記録媒体の製造をより容易に行うことができるとともに、製造コストの削減を図ることができるという効果を奏する。
【発明を実施するための最良の形態】
【００１１】
以下に添付図面を参照して、この発明にかかる光記録媒体の最良な実施の形態を詳細に説明する。
【００１２】
（実施の形態１）
図１は、実施の形態１にかかる光ディスクの全体構造を示す模式図である。光ディスク１００は、図１に示すようにデータ記録用の記録媒体である記録用ディスク１１０と、記録用ディスク１１０にデータを記録する際にデータ記録時のクロック信号生成、トラッキングサーボ制御、アドレッシング等のための制御情報パターンが記録された制御用ディスク１２０とに分離された構造となっている。
【００１３】
また、図１に示すように、記録用ディスク１１０には、その基板中央に、データ記録時に記録再生装置（図示せず）の回転駆動機構であるディスクテーブルが係合するセンタ孔１０５が設けられている。また、記録用ディスク１１０には、図１に示すように、データ記録時に制御用ディスク１２０を装着するために、制御用ディスク１１０の周端面に形成された溝３０１に嵌めて固定する取り付け部１０４と、ディスク中央付近で制御用ディスク１１０のセンター孔に嵌めて固定するとともにディスクテーブルと係合するクランプ部１０３が基板上に形成されている。このため、記録用ディスク１１０は、制御用ディスク１２０を着脱可能となっている。
【００１４】
このため、記録用ディスク１１０にデータを記録する際には、制御用ディスク１２０を取り付け部１０４で記録用ディスク１１０に固定した上で、記録再生装置のディスクテーブルにクランプ部１０３で固定してデータを記録する。一方、データ再生時には、記録用ディスク１１０から制御用ディスク１２０を取り外して、記録用ディスク１１０だけを記録再生装置のディスクテーブルにクランプ部１０３で固定してデータを再生するようになっている。
【００１５】
図２は、制御用ディスク１２０と記録用ディスクの構造を示す模式図である。記録用ディスク１１０は、図２に示すように、基板１１３と、記録層１１２と、保護層１１１とが積層した構造となっており、基板１１３側から記録再生装置のレーザ光等の光ビームが照射されるようになっている。
【００１６】
基板１１３は、ガラス基板、ポリカーボネート等の合成樹脂を射出成形して成形された合成樹脂基板であり、データの記録再生時に光ピックアップから出射されたレーザ光等の光ビームを透過できるように上述の光透過性材料で形成されている。また、従来の光ディスクの基板では、一方の面に、ランドやグルーブなどの制御情報となる凹凸パターンが形成されているが、本実施の形態にかかる光ディスク１００の基板１１３では、このような凹凸パターンはなく、平坦に形成されている。
【００１７】
さらに基板１１３は、制御用ディスク１２０と重ねた場合に既存のＤＶＤ（Ｄｉｇｉｔａｌ  Ｖｅｒｓａｔｉｌｅ  Ｄｉｓｋ）等とほぼ同一の厚さとなり、既存のＤＶＤ等と互換性を維持することができるように、略０．６ｍｍの厚さで形成されている。なお、基板１１３は、制御用ディスク１２０と重ねた場合に既存のＤＶＤ等とほぼ同一の厚さとなるような厚さで形成されていればよく、略０．６ｍｍの厚さに限定されるものではない。
【００１８】
記録層１１２は、基板１１３のレーザ光の照射面と反対の面上に形成されており、データが記録される層である。この記録層１１２は、光ディスク１００が追記型ディスクの場合には基板１１３の一方の面上にスピンコート等により被着形成される有機色素材料層で形成される。また、光ディスク１００が書換型ディスクである場合には、記録層１１２として相変化材料層を形成し、光ディスク１００が光磁気記録ディスクの場合には、記録層１１２として光磁気記録層を形成する。
【００１９】
保護層１１１は、記録層１１２の上に形成されている。後述するように、制御用ディスク１２０の反射層１２２で反射したレーザ光が記録用ディスク１１０の記録層１１２に集光して記録層１１２が加熱され記録マークを形成することで記録層１１２にデータを記録しているため、保護層１１１は、熱伝導率が高い材料で形成することが好ましい。このような保護層１１１の材料としては、例えば、Ａｌ2Ｏ3やＴｉＯ2があげられる。
【００２０】
制御用ディスク１２０は、図２に示すように、基板１２１と、反射層１２２と、保護層１２３とが積層した構造となっており、記録用ディスク１１０へのデータ記録時に、制御用ディスク１２０の保護層１２３側の面を記録用ディスク１１０の保護層１１１側の面と対向させて重ねることにより、記録用ディスク１１０を透過してきたレーザ光が反射層１２２で反射して記録用ディスク１１０の記録層１１２にデータを記録するようになっている。
【００２１】
基板１２１は、記録用ディスク１１０の基板１１３と同様にガラス基板、ポリカーボネート等の合成樹脂を射出成形して成形された合成樹脂基板である。ただし、本実施の形態の制御用ディスク１２０は、基板１２１と反対の面側に形成されている保護層１２３側の面を記録用ディスク１１０の保護層１１１側の面と対向させて重ねて記録用ディスク１１０を透過してきたレーザ光が反射層１２２で反射して記録用ディスク１１０の記録層１１２にデータを記録するため、基板１２１自体はレーザ光を透過する必要がない。このため、基板１２１は、後述する制御情報の凹凸パターンを形成し易く、耐環境性，耐久性に優れた材料で形成すれば良い。このような基板１２１と材料としては、例えば、ＡＢＳ樹脂等があげられる。
【００２２】
基板１２１は、記録用ディスク１１０と重ねた場合に既存のＤＶＤ等とほぼ同一の厚さとなり、既存のＤＶＤ等と互換性を維持することができるように、略０．６ｍｍの厚さで形成されている。なお、基板１２１は、記録用ディスク１１０と重ねた場合に既存のＤＶＤ等とほぼ同一の厚さとなるような厚さで形成されていればよく、略０．６ｍｍの厚さに限定されるものではない。
【００２３】
また、制御用ディスク１２０の基板１２１は、従来の光ディスクの基板と同様に、反射層１２２側の面に、案内溝であるグルーブ領域と、グルーブ領域間の山部であるランド領域の凹凸パターンが形成されたランド・グルーブ構造となっており、ランド領域およびグルーブ領域に制御情報が記録されている。
【００２４】
反射層１２２は、基板１２１上（図２では基板１２１の下側）に形成され、制御用ディスク１２０の保護層１２３側の面を記録用ディスク１１０の保護層１１１側の面と対向させて重ねることにより、記録用ディスク１１０を透過してきたレーザ光を反射するようになっている。
【００２５】
保護層１２３は、反射層１２２の上（図２では反射層１２２の下側）に形成されている。制御用ディスク１２０の反射層１２２で反射したレーザ光が記録用ディスク１１０の記録層１１２に集光して記録層１１２が加熱され記録マークを形成することで記録層１１２にデータを記録しているため、保護層１２３は、熱伝導率が高い材料で形成することが好ましい。このような保護層１２３の材料としては、例えば、Ａｌ2Ｏ3やＴｉＯ2があげられる。
【００２６】
次に、記録用ディスク１１０の基板に形成された取り付け部１０４と制御用ディスク１２０の溝３０１の構造について説明する。図３−１は、記録用ディスク１１０の取り付け部１０４と制御用ディスク１２０の溝３０１の拡大斜視図であり、図３−２は、記録用ディスク１１０の取り付け部１０４と制御用ディスク１２０に形成された溝３０１をディスク水平方向からみた模式図である。
【００２７】
図３−１、３−２に示すように、制御用ディスク１２０の基板１２１の周端面には溝３０１が形成されており、記録用ディスク１１０の基板１１３上に形成された取り付け部１０４の突部がこの溝３０１に嵌るように、取り付け部１０４の突部の幅と溝３０１の幅が同一で形成されている。そして、取り付け部１０４の突部が溝３０１に嵌った状態で、記録用ディスク１１０と制御用ディスク１２０とを互いに逆方向にスライドさせることにより、両ディスクが固定されるようになっている。
【００２８】
なお、本実施の形態では、このように取り付け部１０４の突部を制御用ディスク１２０に形成された溝３０１に嵌合させて両ディスクを固定する構成となっているが、かかる構造に限定されるものではない。ただし、記録用ディスク１１０のクランプ部１０３と取り付け部１０４は、記録用ディスク１１０と制御用ディスク１２０の中心位置合わせを容易に行える構造とすることが好ましい。
【００２９】
次に、このように構成された本実施の形態にかかる光ディスク１００に対するデータ記録方法について説明する。光ディスク１００に記録を行う際は、図２に示すように、記録用ディスク１１０の記録面側の保護層１１１と制御用ディスク１２０の反射面側の保護層１２３が対向するように重ね合わせ、記録用ディスク１１０の取り付け部１０４を制御用ディスク１２０の溝３０１に嵌合させるとともにクランプ部１０３で制御用ディスクのセンタ孔に嵌めることによって、両ディスクを固定する。そして、記録用ディスク１１０のセンター孔１０５を記録再生装置のディスクテーブルに係合させて、記録用ディスク１１０と制御用ディスク１２０をディスクテーブルにセットする。
【００３０】
そして、記録再生装置によって、データ記録に使用するレーザ光を、図２に示すように、記録用ディスク１１０の基板１１３側から照射する。レーザ光は、制御用ディスク１２０の反射層１２２で反射して、その反射光に基づいてフォーカス制御が行われる。また、制御用ディスク１２０の基板１２１に形成されたランド・グルーブ構造の制御情報パターンに基づいてトラッキング制御が行われる。そして、反射して集光されたレーザ光により記録用ディスク１１０の記録層１１２が加熱され、記録マークが形成されることによりデータが記録される。このようにして記録用ディスク１１０にデータを記録したら、取り付け部１０４による制御用ディスク１２０の固定を解除して、記録用ディスク１１０と制御用ディスクを分離する。
【００３１】
次に、このようにしてデータが記録された本実施の形態にかかる光ディスク１００のデータ再生方法について説明する。データ記録済みの記録用ディスクには、上述のようにトラッキング制御のための凹凸パターンが形成されていないが、既に記録層１１２に記録マークが形成されている。このため、この記録マークの反射率の変化によって、記録マークが形成されている部分と記録されていない部分とを比較して十分な差があれば、この記録マークに基づいてレーザ光のフォーカス制御およびトラッキング制御を行うことができるようになっている。仮に、記録マークの反射率変化が十分な差がない場合には、反射率を補うために実施の形態２で説明する再生用ディスクを記録用ディスクを装着してフォーカス制御を行うように構成すればよい。
【００３２】
このように実施の形態１にかかる光ディスク１００は、記録用ディスク１１０とデータ記録時のみに必要な制御情報の凹凸パターンが形成された制御用ディスク１２０とを分離した構造とし、データ記録時に両ディスクを組み合わせて使用しているので、製造コストが増大する制御用ディスク１２０の製造を削減することができ、これによって、光ディスク１００の製造を容易にするとともに、製造コストの削減を図ることができる。この結果、ユーザに対して安価な光ディスク１００を提供することが可能となる。
【００３３】
例えば、１０枚等複数枚の記録用ディスク１１０を一枚の制御用ディスク１２０と１セットとしてセット販売することにより、制御情報の凹凸パターンが一枚ごとに記録された光ディスクを同一枚数製造する場合に比べて、製造コストを削減することができるようになり、販売価格も安価に設定することが可能となる。
【００３４】
（実施の形態２）
実施の形態２にかかる光ディスクは、制御用ディスクを取り付けるクランプ部、取り付け部が記録用ディスクではなく、制御用ディスクに形成されており、また、同様のクランプ部、取り付け部が形成された再生用ディスクを備えたものである。
【００３５】
図４は、実施の形態２にかかる光ディスクの全体構造を示す模式図である。光ディスク４００は、図４に示すようにデータ記録用の記録媒体である記録用ディスク４１０と、記録用ディスク４１０にデータを記録する際にデータ記録時のクロック信号生成、トラッキングサーボ制御、アドレッシング等のための制御情報パターンが記録された制御用ディスク４２０とに分離された構造となっている。この他、記録用ディスク４１０の再生時に装着される再生用ディスクがある。
【００３６】
図４に示すように、記録用ディスク４１０の周端面には、制御用ディスク４２０を装着するために制御用ディスク４２０の後述する取り付け部４０４と嵌合する溝部４０１が形成されており、この他に、記録用ディスク４１０の上面および下面には制御用ディスク４２０を装着するための突起部等は設けられていない。
【００３７】
また、図４に示すように、制御用ディスク４２０には、その基板中央に、データ記録時に記録再生装置（図示せず）の回転駆動機構であるディスクテーブルが係合するセンタ孔４０５が設けられている。また、制御用ディスク４２０には、記録用ディスク４１０を装着するために、記録用ディスク４１０の周端面に形成された溝４０１に嵌めて固定する取り付け部４０４と、ディスク中央付近で記録用ディスク４１０のセンター孔に嵌めて固定するとともにディスクテーブルと係合するクランプ部４０３が基板上に形成されている。このため、記録用ディスク４１０は、制御用ディスク４２０を着脱可能となっている。
【００３８】
再生用ディスクも、制御用ディスク４２０と同様の構造のクランプ部および取り付け部（図示せず）が形成されている。
【００３９】
このため、記録用ディスク４１０にデータを記録する際には、記録用ディスク４１０を取り付け部４０４で制御用ディスク４２０に固定した上で、記録再生装置のディスクテーブルにクランプ部４０３で固定してデータを記録する。一方、データ再生時には、記録用ディスク４１０から制御用ディスク４２０を取り外して、記録用ディスク４１０を取り付け部４０４で再生用ディスクに固定した上で、記録再生装置のディスクテーブルにクランプ部で固定してデータを再生する。
【００４０】
すなわち、本実施の形態にかかる記録用ディスク４１０には、クランプ部、取り付け部が設けられていないので、データ再生時には再生専用の再生用ディスクを装着して再生することになる。
【００４１】
図５は、再生用ディスク４３０と記録用ディスク４１０の構造を示す模式図である。記録用ディスク４１０は、図５に示すように、基板４１３と、記録層４１２と、保護層４１１とが積層した構造となっており、基板４１３側から記録再生装置のレーザ光等の光ビームが照射されるようになっている。この記録用ディスク４１０の基板４１３、記録層４１２、保護層４１１については実施の形態１と同様である。
【００４２】
再生用ディスク４３０は、図５に示すように、基板４３３と、反射層４３２と、保護層４３１とが積層した構造となっており、記録用ディスク４１０のデータ再生時に、再生用ディスク４３０の保護層４３１側の面を記録用ディスク４１０の保護層４１１側の面と対向させて重ねることにより、記録用ディスク４１０を透過してきたレーザ光が反射層４３２で反射して記録用ディスク４１０の記録層４１２からデータを再生するようになっている。
【００４３】
基板４３３は、ガラス基板、ポリカーボネート等の合成樹脂を射出成形して成形された合成樹脂基板である。ただし、本実施の形態の再生用ディスク４３０は、基板４３３と反対の面側に形成されている保護層４３１側の面を記録用ディスク４１０の保護層４１１側の面と対向させて重ねて記録用ディスク４１０を透過してきたレーザ光が反射層４３２で反射して記録用ディスク４１０の記録層４１２のデータを再生するため、基板４３３自体はレーザ光を透過する必要がない。このため、基板４３３は、耐環境性，耐久性に優れた材料で形成すれば良い。このような基板４３３と材料としては、例えば、ＡＢＳ樹脂等があげられる。
【００４４】
基板４３３は、記録用ディスク４１０と重ねた場合に既存のＤＶＤ等とほぼ同一の厚さとなり、既存のＤＶＤ等と互換性を維持することができるように、略０．６ｍｍの厚さで形成されている。なお、基板４３３は、記録用ディスク４１０と重ねた場合に既存のＤＶＤ等とほぼ同一の厚さとなるような厚さで形成されていればよく、略０．６ｍｍの厚さに限定されるものではない。
【００４５】
また、従来の光ディスクの基板では、一方の面に、ランドやグルーブなどの制御情報となる凹凸パターンが形成されているが、本実施の形態にかかる再生用ディスク４３０の基板４３３では、このような凹凸パターンはなく、平坦に形成されている。これは、記録用ディスク４１０の再生時には、記録用ディスク４１０の記録層４１２に記録された記録マークに基づいてトラッキング制御を行うためである。このため、再生用ディスク４３０も容易に製造することができ、製造コストの削減を図ることができる。
【００４６】
反射層４３２は、基板４３３上（図５では基板４３３の下側）に形成され、再生用ディスク４３０の保護層４３１側の面を記録用ディスク４１０の保護層４１１側の面と対向させて重ねることにより、記録用ディスク４１０を透過してきたレーザ光を反射するようになっている。保護層４３１は、反射層４３２の上（図５では反射層４３２の下側）に形成されている。
【００４７】
本実施の形態の制御用ディスク４２０は、基板と、基板上に形成さられた反射層と、反射層の上に形成された保護層とからなり、各層については実施の形態１の制御用ディスクと同様の構成となっている。
【００４８】
本実施の形態にかかる記録用ディスク４１０は、その最内周のリードイン領域に、記録用ディスク４１０にデータを記録する際、記録したデータを暗号化するための暗号鍵を記録可能となっている。また、本実施の形態の再生用ディスク４３０には、その最内周のリードイン領域に、上記暗号鍵に対応した復号鍵が出荷時に予め記録されている。そして、この復号鍵を記載したシートを、本実施の形態の光ディスク４００の製品に同封しておく。
【００４９】
これにより、ユーザは、記録用ディスク４１０にデータを記録する際には同封された復号鍵を入力する。記録再生装置は、復号鍵を用いてデータを暗号化して記録用ディスク４１０に記録する。
【００５０】
この記録用ディスク４１０を再生する際には、この記録用ディスク４１０と、復号鍵が記録された再生用ディスク４３０を組み合わせ、記録再生装置で再生する。このとき、記録再生装置は、光ディスク４００が装填された場合に、再生用ディスク４３０の最内周のリードイン領域に記録されている復号鍵を読み取る。そして、読み取った復号鍵で記録されているデータを復号化し、復号化することができれば、データの読み取りを行い、復号化することができなければエラーを表示する。これによって、データの機密保護を図ることができる。
【００５１】
なお、データを記録する際に復号鍵の入力とともに、ユーザが任意のパスワードを入力し、入力したパスワードと復号鍵から暗号鍵を生成し、データの再生時に復号鍵とパスワードが一致した場合のみ、データの再生が可能になるように構成してもよい。
【００５２】
このように実施の形態２にかかる光ディスク４００では、記録用ディスク４１０とデータ記録時のみに必要な制御情報の凹凸パターンが形成された制御用ディスク４２０とを分離した構造とし、データ記録時に両ディスクを組み合わせて使用しているので、製造コストが増大する制御用ディスク４２０の製造を削減することができる。また、別途再生用ディスク４３０を備えているので、記録用ディスク４１０の再生をより高精度に行うことができる。
【００５３】
（変形例）
上記実施の形態２の光ディスク４００では、記録用ディスク４１０は、一方の面からしかデータの記録ができなかったが、基板の両面に記録層を形成した記録用ディスクを用いて、記録用ディスクの両面にデータを記録することにより、より大容量のデータを記録することができる。
【００５４】
図６は、両面に記録が可能な記録用ディスクの構造を示す模式図である。図６に示すように、記録用ディスク６１０の基板６１３の一方の面に記録層６１２ａ、記録層６１２ａの上に保護層６１１ａを形成し、基板６１３の他方の面に記録層６１２ｂ、記録層６１２ｂの上に保護層６１１ｂを形成した構造とする。そして、装着した制御用ディスク４２０の反射層１２２に近い側の記録層にデータが記録される。ここで、制御用ディスク４２０は、実施の形態２の制御用ディスク４２０と同様の構造をしており、取り付け部４０４およびクランプ部４０３が基板上に形成されている。記録用ディスク６１０は、実施の形態２の記録用ディスク４１０と同様に、その周端面に制御用ディスク４２０の取り付け部と嵌合する溝部が形成されており、記録用ディスク４１０の上面および下面には突起部は存在しない。
【００５５】
従って、記録用ディスク６１０を裏返して制御用ディスク４２０に装着することができ、他方の記録層にもデータ記録が可能となる。このため、記録用ディスク６１０の両面にデータを記録することができ、大容量の光ディスクの製造を容易にしてより製造コストの削減を図ることができ、より安価な光ディスクをユーザに提供することが可能となる。
【図面の簡単な説明】
【００５６】
【図１】実施の形態１にかかる光ディスクの全体構造を示す模式図である。
【図２】制御用ディスク１２０と記録用ディスクの構造を示す模式図である。
【図３−１】記録用ディスク１１０の取り付け部１０４と制御用ディスク１２０の溝３０１の拡大斜視図である。
【図３−２】記録用ディスク１１０の取り付け部１０４と制御用ディスク１２０の溝３０１をディスク水平方向からみた模式図である。
【図４】実施の形態２にかかる光ディスクの全体構造を示す模式図である。
【図５】再生用ディスク４３０と記録用ディスク５１０の構造を示す模式図である。
【図６】両面に記録が可能な記録用ディスクの構造を示す模式図である。
【符号の説明】
【００５７】
１００，４００  光ディスク
１０３，４０３  クランプ部
１０４，４０４  取り付け部
１０５，４０５  センター孔
１１０，４１０，６１０  記録用ディスク
１１１，１２３，４１１，４３１，６１１ａ，６１１ｂ  保護層
１１２，４１２，６１２ａ，６１２ｂ  記録層
１１３，１２１，４１３，４３３，６１３  基板
１２０，４２０  制御用ディスク
１２２，４３２  反射層
３０１，４０１  溝
４３０  再生用ディスク
【図１】
2007042149.tif 000003
【図２】
2007042149.tif 000004
【図３−１】
2007042149.tif 000005
【図３−２】
2007042149.tif 000006
【図４】
2007042149.tif 000007
【図５】
2007042149.tif 000008
【図６】
2007042149.tif 000009